(57)【要約】 【課題】  運転席側と助手席側のように、２つ視方向に対する第１、第２の画像の入力があって、これらを所定の配列に合成し、この合成された画像を夫々判別可能に表示するマルチ画像表示装置において、一方の画像入力にエラーがあったときは他方の視方向の使用者はそのエラーに気づかないという問題があった。【解決手段】  ２画面合成部１６は第１の画像の入力エラーを検出すると、第２の視方向の画面にエラー表示を所定の時間あるいは間欠的に表示させる。【選択図】      図５
2009020138.tif 000002
【特許請求の範囲】
【請求項１】
２つの視方向に対する第１、第２の画像を出力する画像出力部と、前記第１、第２の画
像を所定の並びに合成する画面合成部と、前記所定の並びに合成された画像の第１の画像
を第１の視方向に、第２の画像を第２の視方向に夫々判別可能な合成画面として同一画面
に表示する表示部とを備えたマルチ画像合成装置であって、
前記画面合成部は前記第１の画像の入力エラーを検出すると、前記第２の視方向の画面
にエラー表示をすることを特徴とするマルチ画像表示装置。
【請求項２】
前記エラー表示は所定の時間あるいは間欠的に表示されることを特徴とする請求項１に
記載のマルチ画像表示装置。
【請求項３】
前記第１、第２の画像の１画素はＲＧＢの３つのサブ画素からなり、前記所定の並びは
、第１、第２の画像のサブ画素が交互に配設される並びであり、前記エラーの表示の文字
をドットフォントで構成する最小単位の点は複数のサブ画素からなり、前記点においてＲ
ＧＢ夫々のサブ画素の数は前記第１、第２の画像が同一であることを特徴とする請求項１
に記載のマルチ画像表示装置。
【請求項４】
前記画像出力部は画像を出力するときに同期信号を出力し、前記画面合成部は同期信号
が所定時間無いことにより画像の入力エラーを検出することを特徴とする請求項１に記載
のマルチ画像表示装置。
【請求項５】
前記画像出力部はテレビジョン受信部を有し、該テレビジョン受信部は受信感度が閾値
よりも低いときは前記同期信号の出力を禁止することを特徴とする請求項４に記載のマル
チ画像表示装置。
【請求項６】
前記画像出力部はディスク再生部を有し、該ディスク再生部はディスクの読取りエラー
を検出したときは前記同期信号の出力を禁止することを特徴とする請求項４に記載のマル
チ画像表示装置。
【請求項７】
前記画像出力部は発生したエラーの種別に対応するエラー信号を前記画面合成部に出力
し、前記画面合成部はエラーの種別に対応して異なるエラー表示を行わせることを特徴と
する請求項１に記載のマルチ画像表示装置。
【発明の詳細な説明】
【技術分野】
【０００１】
本発明は、２つの画像を視方向により夫々判別可能な画面として同一画面に表示するマ
ルチ画像合成装置に関する。
【背景技術】
【０００２】
液晶表示装置は軽量、薄型、低消費電力という特徴があり、多くの電子機器に使用され
ている。ナビゲーション装置にも液晶表示装置が使用されるが、ナビゲーション装置はテ
レビジョン受信部やＤＶＤビデオ再生部など運転中の運転者には交通安全上好ましくない
画像を表示することができる。
【０００３】
そこで、同一表示画面に複数の画像を表示させ、視方向により異なる画像を認識できる
ようにする技術が開発され、右方向の運転者からはナビゲーションの画像が見え、左方向
の助手席からはテレビジョン受信部やＤＶＤビデオ再生部の画像が見えるようになった（
特許文献１，２参照）。視方向により異なる画像を認識できるようにする技術としては、
液晶シャッターの遮光パターンによるもの（特許文献１参照）、レンチキュラーレンズに
よるものや信号線に対向する位置の両側にストライプ上の突起パターンを設けるものがあ
る（特許文献２参照）。視方向により異なる画像を認識できるようにする技術はナビゲー
ション装置のみでなく、他の電子機器に適用することができる。例えば、特許文献３の図
６に液晶表示装置を挟んで互いに向き合ったユーザーがどちらも逆様にならない文字を見
ることが記されている。
【特許文献１】特開２００６−１８４８５９号公報
【特許文献２】特開２００６−２７６５９１号公報
【特許文献３】特開２００５−９１５６１号公報
【発明の開示】
【発明が解決しようとする課題】
【０００４】
しかしながら、一方の視方向画面でエラーがあっても、他方の視方向画面にはエラーが
表示されないという問題があった。例えば、特許文献１のナビゲーション装置において、
運転者はナビゲーションを見、助手席者がＤＶＤビデオを見ている状態で、ナビゲーショ
ンが無信号になったときは、助手席者がナビゲーション装置に代わって道路案内のガイド
をすればよいのであるが、助手席者はナビゲーションの画面を見ていないので、ナビゲー
ションが無信号になったことに気づかないという問題があった。また、特許文献３の電子
機器において、教師と生徒が対面して、教師が教師用教材を見、生徒が生徒用教材を見て
いるときに、生徒の画像にエラーがあったときは、教師が生徒の画像のエラーに気づかず
に授業を進めることになる。
【課題を解決するための手段】
【０００５】
上記課題を解決するために、本発明のマルチ画像表示装置は、２つの視方向に対する第
１、第２の画像を出力する画像出力部と、前記第１、第２の画像を所定の並びに合成する
画面合成部と、前記所定の並びに合成された画像の第１の画像を第１の視方向に、第２の
画像を第２の視方向に夫々判別可能な合成画面として同一画面に表示する表示部とを備え
たマルチ画像合成装置であって、
前記画面合成部は前記第１の画像の入力エラーを検出すると、前記第２の視方向の画面
にエラー表示をすることを特徴とする。
【０００６】
このように、第２の視方向の画面に第１の画像の入力エラー表示をするので、第２の視
方向の使用者が第１の視方向の画像にエラーがあったことに気づくことができる。
【０００７】
また、前記エラー表示は所定の時間あるいは間欠的に表示されることを特徴とする。こ
のように、入力エラーの対象ではない画面への入力エラー表示時間を短くすることにより
、本来の表示の影響を少なくすることができる。
【０００８】
また、前記第１、第２の画像の１画素はＲＧＢの３つのサブ画素からなり、前記所定の
並びは、第１、第２の画像のサブ画素が交互に配設される並びであり、前記エラーの表示
の文字をドットフォントで構成する最小単位の点は複数のサブ画素からなり、前記点にお
いてＲＧＢ夫々のサブ画素の数は前記第１、第２の画像が同一であることを特徴とする。
【０００９】
このように第１、第２の視方向のＲＧＢの数を同じにすることにより、１つの合成画面
フォントから２つの視方向が同じ色の文字を容易に生成することができる。また、２つの
視方向に入力エラーを表示したとき、第１の視方向から第２の視方向へ移行するときに色
の変化による違和感を与えることがない。
【００１０】
また、前記画像出力部は画像を出力するときに同期信号を出力し、前記画面合成部は同
期信号が所定時間無いことにより画像の入力エラーを検出することを特徴とする。
【００１１】
このように同期信号が所定時間無いことにより画像の入力エラーを検出するので、容易
な構成で入力エラーを検出することができる。
【００１２】
また、前記画像出力部はテレビジョン受信部を有し、該テレビジョン受信部は受信感度
が閾値よりも低いときは前記同期信号の出力を禁止することを特徴とする。
【００１３】
トンネルなどにより受信感度が低下しても同期信号が出力されないことがある。このよ
うなとき、画像出力部が同期信号の出力を停止させれば、ＡＳＩＣ（Application Specif
ic Integrated Circuit）である画面合成部を設計変更することなく使用することができ
る。
【００１４】
また、前記画像出力部はディスク再生部を有し、該ディスク再生部はディスクの読取り
エラーを検出したときは前記同期信号の出力を禁止することを特徴とする。
【００１５】
振動などによりディスクの読取りエラーが発生しても同期信号が出力されないことがあ
る。このようなとき、画像出力部が同期信号の出力を停止させれば、ＡＳＩＣである画面
合成部を設計変更することなく使用することができる。
【００１６】
また、前記画像出力部は発生したエラーの種別に対応するエラー信号を前記画面合成部
に出力し、前記画面合成部はエラーの種別に対応して異なるエラー表示を行わせることを
特徴とする。
【００１７】
これにより、他視方向の使用者はエラーの種別も知ることができる。
【発明を実施するための最良の形態】
【００１８】
以下、図面を参照して本発明の最良の実施形態を説明する。但し、以下に示す実施形態
は、本発明の技術思想を具体化するためのマルチ画像表示装置を例示するものであって、
本発明をこのマルチ画像表示装置に特定することを意図するものではなく、特許請求の範
囲に含まれるその他の実施形態のものも等しく適応し得るものである。
【実施例１】
【００１９】
図１は本発明のナビゲーション装置１の要部を示すブロック図である。ナビゲーション
装置１は画像を出力するものとして、ナビゲーション部１１、ＴＶ(テレビジョン)部１２
、ＤＶＤビデオ再生部１３、ＯＳＤ（オン・スクリーン・ディスプレイ）部１４、切替回
路１５、２画面合成部１６、表示部１７、制御部１８、操作部１９を有する。
【００２０】
ナビゲーション部１１はＨＤＤ(図示せず)より地図情報を読み出して、ＧＰＳ受信部（
図示せず）より受信した位置情報や登録された経路を重畳した地図画像を出力する。また
、進路変更すべき交差点が近づくと交差点の拡大図を出力する。ＴＶ部１２はアンテナ（
図示せず）より受信した放映画像を出力する。ＤＶＤビデオ再生部１３はビデオなどの画
像が書き込まれたＤＶＤより画像を読み出して出力する。ＯＳＤ部１４はＯＳＤ画像とし
て図２に示す如きタッチキーの画像を記憶しており、これを出力する。
【００２１】
切替回路１５は後述の制御回路１８の操作信号に基づき、ＴＶ部１２の出力信号かＤＶ
Ｄビデオ再生部１３出力信号のいずれか一方を択一的に選択して出力する。
【００２２】
２画面合成部１６はＡＳＩＣ（Application Specific Integrated Circuit）であり、
２画面合成回路１６１とＯＳＤ処理回路１６２とエラー表示回路１６３を有する。２画面
合成回路１６１は設定、制御ラインに入力される信号に基づいて、ホスト１ラインとホス
ト２ラインに入力される２つの画像データを、同期を取りながら１画面分の所定の配列に
並べ替える。ＯＳＤ処理部１６２は設定、制御ラインに入力される信号に基づいて、ＯＳ
Ｄラインから入力されるＯＳＤ画像データをＯＳＤイネーブル信号が“Ｈ”（ＨＩＧＨ）
になったときに重畳する。重層する画面は設定、制御ラインに入力される信号に基づいて
選択される。エラー表示回路１６３はホスト１ラインとホスト２ラインに入力される画像
にエラーがあったことを表示部１７に表示させる。
【００２３】
表示部１７はカラーのＷＶＧＡの液晶パネル（図示せず。）を有する。図３に示すごと
く、液晶パネルはゲートライン方向（横方向）に８００画素、ソースライン方向（縦方向
）に４８０画素ある。１画素はＲＧＢの３つのサブ画素から成る。
【００２４】
図４は合成画像の配列を示す図である。ホスト１ラインに入力された画像の半分とホス
ト２ラインに入力された画像の半分がサブ画素の市松模様（チェス盤の白黒模様）に配列
して合成される。液晶パネルの液晶シャッターの遮光パターンが市松模様になっており、
ホスト１ラインに入力されたナビゲーション画像は運転席の方向となる右方向からのみ認
識することができ、ホスト２ラインに入力されたＴＶ画像あるいはＤＶＤビデオ画像は助
手席となる左方向からのみ認識することができる。また、表示部１７はタッチパネルであ
り、押圧された位置を示すタッチパネル信号を制御回路１８に出力する。
【００２５】
制御回路１８は表示部１７から入力されるタッチ信号と操作部１９から入力されるキー
信号より操作の内容を示した操作信号をナビゲーション部１１、ＴＶ部１２、ＤＶＤビデ
オ再生部１３、ＯＳＤ部１４、切替回路１５、２画面合成部１６に出力する。
【００２６】
図１の構成の動作を説明する。使用者の操作部１９の操作に基づいて、制御回路１８は
切替回路１５をＴＶ部１２側に切り替えさせる。ナビゲーション部１１は同期信号とナビ
ゲーション画像データであるＲＧＢを２画面合成部１６のホスト１ラインに出力する。Ｔ
Ｖ部１２は同期信号とＴＶ画像データであるＲＧＢを切替回路１５を介して２画面合成部
１６のホスト２ラインに出力する。ＯＳＤ部１４は同期信号とＯＳＤデータであるＲＧＢ
とＯＳＤイネーブルを切替回路１５を介して２画面合成部１６のＯＳＤラインに出力する
。ＯＳＤイネーブルはＯＳＤ画像を重畳する場所（図２のタッチキーの場所）のタイミン
グで出力される。
【００２７】
２画面合成部は図４に示す如く、ホスト１ラインに入力されたナビゲーション画像の半
分とホスト２ラインに入力されたＴＶ画像の半分をサブ画素の市松模様（チェス盤の白黒
模様）に配列して合成する。このとき、ＯＳＤイネーブル信号に基づいて、ＯＳＤライン
に入力されたＯＳＤ画像を合成画面に重畳する。そして、合成された画面は表示部１７に
出力され、表示部１７は市松模様の遮光パターンのシャッターにより、ナビゲーション画
像を運転席の方向となる右方向からのみ認識することができるように表示し、ＴＶ画像を
助手席となる左方向からのみ認識することができるように表示する。
【００２８】
図５は２画面合成部１６のエラー表示回路１６３の動作を示すフローチャートである。
接続不良、断線、受信不良、振動などによってホスト１ラインやホスト２ラインに信号が
正常に入力されないことがある。エラー表示回路１６３はホスト１ラインに入力されるは
ずの同期信号が検出されない状態が所定時間継続するか否かを調べることによってホスト
１が無信号であるか否かを判断する（ステップＳ１）。ホスト２ラインについても同様な
方法でホスト２が無信号であるか否かを判断する（ステップＳ２）。
【００２９】
ホスト１が無信号であると（ステップＳ１のＹ）、エラー表示回路１６３は運転席方向
である右画面に「no signal on right side」を信号検出まで表示させ、助手積方向の左
画面に「no signal on right side」を３秒間表示させる（ステップＳ３）（図２参照）
。ホスト２が無信号であると（ステップＳ２のＹ）、エラー表示回路１６３は左画面に「
no signal on left side」を信号検出まで表示させ、右画面に「no signal on left side
」を３秒間表示させる（ステップＳ４）。図６に示す如く、この文字はドットフォント（
ビットマップフォント）であり、ドットフォント構成する最小単位の点は横４画素×縦４
画素となっている。このように偶数の画素になっており、左画面のＲＧＢサブ画素は夫々
８つ、右画面のＲＧＢサブ画素も夫々８つとなっている。このために、左右とも同じ色に
見える。また、左視方向から右視方向に移行するとき、色が変わって違和感を与えること
がない。
【００３０】
ＴＶの受信感度が弱くなっても、また、振動でディスクの読取りエラーが発生しても同
期信号は２画面合成部１６に出力されることがある。これではＡＳＩＣである２画面合成
部１６を設計変更しなければエラーを検出することができないので設計変更しなくてもよ
いように、ＴＶ部１２の電界強度検出回路１２１は電界強度が所定レベル以下になると、
２画面合成部１６への同期信号の出力を禁止する。また、ＤＶＤビデオ再生部１３の読取
りエラー検出回路１３１は読取りエラーが発生すると、２画面合成部１６への同期信号の
出力を禁止する。これにより、ＡＳＩＣである２画面合成部１６は設計変更することなく
、これらのエラーを表示部１７に表示させることができる。
【００３１】
しかしながら、この方法では同じホスト２に関するエラー（ＴＶの受信感度不良である
のか読取りエラーであるのか）の判別ができない。この問題を解決するために、図７、図
８に示す如く、ＴＶ部１２の電界強度検出回路１２１は電界強度が所定レベル以下になる
と、制御回路１８を介して２画面合成部１６のエラーラインの第１ライン（図示せず。）
にエラー信号を出力する。また、ＤＶＤビデオ再生部１３の読取りエラー検出回路１３１
は読取りエラーが発生すると、制御回路１８を介して２画面合成部１６のエラーラインの
第２ライン（図示せず。）にエラー信号を出力する。これにより、例えば、「TV error o
n left side」や「DVD error on left side」のように、ホスト２に関するエラーを異な
る文字で表示することができる。
【図面の簡単な説明】
【００３２】
【図１】本発明のナビゲーション装置の要部を示すブロック図である。
【図２】２画面表示の例を示す図である。
【図３】表示部のサブ画素の配列を示す図である。
【図４】合成画面の配列を示す図である。
【図５】エラー表示回路の動作を示す図である。
【図６】ドットフォントの最小単位である点のサブ画素配列を示す図である。
【図７】他の実施例におけるナビゲーション装置の要部を示すブロック図である。
【図８】他の実施例におけるドットフォントの最小単位である点のサブ画素配列を示す図である。
【符号の説明】
【００３３】
１      ナビゲーション装置
１１    ナビゲーション部
１２    ＴＶ部
１３    ＤＶＤビデオ再生部
１４    ＯＳＤ部
１５    切替回路
１６    ２画面合成部
１６１  ２画面合成回路
１６２  ＯＳＤ処理回路
１６３  エラー表示回路
１７    表示部
１８    制御回路
【図１】
2009020138.tif 000003
【図２】
2009020138.tif 000004
【図３】
2009020138.tif 000005
【図４】
2009020138.tif 000006
【図５】
2009020138.tif 000007
【図６】
2009020138.tif 000008
【図７】
2009020138.tif 000009
【図８】
2009020138.tif 000010